(57)【要約】  本発明は、頭部に装着して遠赤外線の放射により頭部の生理を活性化する頭部装身具にに関する。  本発明の技術的課題は、充分な量の遠赤外線を側頭部へ集中的に放射することのできる頭部装身具を提供することにある。  この技術的課題の解決方法は、微粉砕された遠赤外線を放射する物質が均質に含まれた材料で形成された放射体が側頭部の少なくとも一部に当接され保持される帯形状である頭部装身具を構成する。  この解決方法によると、放射体が側頭部に当接され保持されることで、頭部の全体への遠赤外線の分散が防止され、神経組織のある側頭部へ集中的に遠赤外線が放射される。また、遠赤外線を放射する物質が微粉砕されて放射体に均質に含まれることで、遠赤外線を放射する物質の遠赤外線の放射面積が拡張されるとともに互いの遠赤外線の放射の干渉が防止され、遠赤外線を放射する物質の放射量が増量される。
2007108078.tif 000002
【特許請求の範囲】
【請求項１】
微粉砕された遠赤外線を放射する物質が均質に含まれた材料で形成された放射体が側頭部の少なくとも一部に当接され保持される帯形状である頭部装身具。
【請求項２】
請求の範囲１の頭部装身具において、遠赤外線を放射する物質はシリカまたはグラファイトシリカで粒径が０．００１〜０．０２０μmに微粉砕されていることを特徴とする頭部装身具。
【請求項３】
請求の範囲２の頭部装身具において、放射体は熱可塑性合成樹脂に遠赤外線を放射する物質が重量比３〜１０％混合されていることを特徴とする頭部装身具。
【請求項４】
微粉砕された遠赤外線を放射する物質が均質に含まれた材料で形成された放射体が側頭部の少なくとも一部に当接され保持される帯形状であり、放射体は材質のもつ弾性よって側頭部に弾圧保持されるものである頭部装身具。
【請求項５】
請求の範囲４の頭部装身具において、遠赤外線を放射する物質はシリカまたはグラファイトシリカで粒径が０．００１〜０．０２０μmに微粉砕されていることを特徴とする頭部装身具。
【請求項６】
請求の範囲５の頭部装身具において、放射体は熱可塑性合成樹脂に遠赤外線を放射する物質が重量比３〜１０％混合されていることを特徴とする頭部装身具。
【請求項７】
微粉砕された遠赤外線を放射する物質が均質に含まれた材料で形成された放射体が側頭部の少なくとも一部に当接され保持される帯形状であり、放射体は材質のもつ弾性よって側頭部に弾圧保持されるもので側頭部から取外して折畳むことができる頭部装身具。
【請求項８】
請求の範囲７の頭部装身具において、遠赤外線を放射する物質はシリカまたはグラファイトシリカで粒径が０．００１〜０．０２０μmに微粉砕されていることを特徴とする頭部装身具。
【請求項９】
請求の範囲８の頭部装身具において、放射体は熱可塑性合成樹脂に遠赤外線を放射する物質が重量比３〜１０％混合されていることを特徴とする頭部装身具。
【請求項１０】
微粉砕された遠赤外線を放射する物質が均質に含まれた材料で形成された放射体が側頭部の少なくとも一部に当接され保持される帯形状であり、放射体は頭頂部に当接される帯形状の支持部材が連結されている頭部装身具。
【請求項１１】
請求の範囲１０の頭部装身具において、遠赤外線を放射する物質はシリカまたはグラファイトシリカで粒径が０．００１〜０．０２０μmに微粉砕されていることを特徴とする頭部装身具。
【請求項１２】
請求の範囲１１の頭部装身具において、放射体は熱可塑性合成樹脂に遠赤外線を放射する物質が重量比３〜１０％混合されていることを特徴とする頭部装身具。
【請求項１３】
微粉砕された遠赤外線を放射する物質が均質に含まれた材料で形成された放射体が側頭部の少なくとも一部に当接され保持される帯形状であり、放射体は頭頂部に当接される帯形状の支持部材が連結され、放射体と支持部材とは着脱可能である頭部装身具。
【請求項１４】
請求の範囲１３の頭部装身具において、遠赤外線を放射する物質はシリカまたはグラファイトシリカで粒径が０．００１〜０．０２０μmに微粉砕されていることを特徴とする頭部装身具。
【請求項１５】
請求の範囲１４の頭部装身具において、放射体は熱可塑性合成樹脂に遠赤外線を放射する物質が重量比３〜１０％混合されていることを特徴とする頭部装身具。
【請求項１６】
微粉砕された遠赤外線を放射する物質が均質に含まれた材料で形成された放射体が側頭部の少なくとも一部に当接され保持される帯形状であり、放射体は頭頂部に当接される帯形状の支持部材が連結され、放射体と支持部材とは連結角度が調整可能である頭部装身具。
【請求項１７】
請求の範囲１６の頭部装身具において、遠赤外線を放射する物質はシリカまたはグラファイトシリカで粒径が０．００１〜０．０２０μmに微粉砕されていることを特徴とする頭部装身具。
【請求項１８】
請求の範囲１７の頭部装身具において、放射体は熱可塑性合成樹脂に遠赤外線を放射する物質が重量比３〜１０％混合されていることを特徴とする頭部装身具。
【請求項１９】
微粉砕された遠赤外線を放射する物質が均質に含まれた材料で形成された放射体が側頭部の少なくとも一部に当接され保持される帯形状であり、放射体は頭頂部に当接される帯形状の支持部材が連結され、放射体と支持部材とは連結位置が放射体の長さ方向へ調整可能である頭部装身具。
【請求項２０】
請求の範囲１９の頭部装身具において、遠赤外線を放射する物質はシリカまたはグラファイトシリカで粒径が０．００１〜０．０２０μmに微粉砕されていることを特徴とする頭部装身具。
【請求項２１】
請求の範囲２０の頭部装身具において、放射体は熱可塑性合成樹脂に遠赤外線を放射する物質が重量比３〜１０％混合されていることを特徴とする頭部装身具。
【発明の詳細な説明】
【技術分野】
【０００１】
本発明は、頭部に装着して遠赤外線の放射により頭部の生理を活性化する頭部装身具に関する。
【背景技術】
【０００２】
一般に、遠赤外線（特に４〜２５ミクロンの生育光線，医療用遠赤外線と称せられる波長のもの）は、身体の生理を活性化させるものとして広く認識されている。【０００３】
このため、遠赤外線を放射する物質を含んだ材料で形成された放射体を備えた各種の器具が医療用，治療用，健康促進用等として提供されるようになってきている。そして、最近では、頭部への遠赤外線の放射が胴部，足部等への放射に比して生理の活性化が顕著であるとの研究発表から、頭部に有効に遠赤外線を放射することのできる頭部装身具の開発が要望されるようになってきている。【０００４】
従来、頭部に遠赤外線を放射する頭部装身具としては、（特許文献１）に記載のものが知られている
この従来の頭部装身具は、頭部に被せられるキャップ形のネットに遠赤外線を放射する放射体を取付けてなるもので、帽子のように頭部に装着するだけで遠赤外線を頭部に放射することができるようになっている。【０００５】
この従来の頭部装身具では、頭部の全体にほぼ均等に遠赤外線を放射することができるものの、重要な神経組織のある側頭部へ集中的に遠赤外線を放射することができないという問題点がある。また、遠赤外線を放射する物質の放射量が微量であるため、生理の活性化を充分に達成することができないという問題点がある。【０００６】
【特許文献１】実用新案登録第３０８４５８１号公報
【発明の開示】
【０００７】
本発明は、前述の問題点を考慮してなされたもので、充分な量の遠赤外線を側頭部へ集中的に放射することのできる頭部装身具を提供することを技術的課題とする。
【０００８】
技術的課題の解決方法は、請求の範囲１に記載のように、微粉砕された遠赤外線を放射する物質が均質に含まれた材料で形成された放射体が側頭部の少なくとも一部に当接され保持される帯形状である頭部装身具として構成される。
【０００９】
この解決方法によると、放射体が側頭部に当接され保持されることで、頭部の全体への遠赤外線の分散が防止され、神経組織のある側頭部へ集中的に遠赤外線が放射される。また、遠赤外線を放射する物質が微粉砕されて放射体に均質に含まれることで、遠赤外線を放射する物質の遠赤外線の放射面積が拡張されるとともに互いの遠赤外線の放射の干渉が防止され、遠赤外線を放射する物質の放射量が増量される。
【００１０】
技術的課題の他の解決方法は、請求の範囲２に記載のように、請求の範囲１の頭部装身具において、遠赤外線を放射する物質はシリカまたはグラファイトシリカで粒径が０．００１〜０．０２０μmに微粉砕されていることを特徴とする頭部装身具として構成される。
【００１１】
この解決方法によると、遠赤外線を放射する物質が具体的に特定され微粉砕の程度が粒径から特定される。
【００１２】
技術的課題の他の解決方法は、請求の範囲３に記載のように、請求の範囲２の頭部装身具において、放射体は熱可塑性合成樹脂に遠赤外線を放射する物質が重量比３〜１０％混合されていることを特徴とする頭部装身具として構成される。
【００１３】
この解決方法によると、放射体の材質と放射体に含まれる遠赤外線を放射する物質の混合比が特定される。
【００１４】
技術的課題の他の解決方法は、請求の範囲４に記載のように、微粉砕された遠赤外線を放射する物質が均質に含まれた材料で形成された放射体が側頭部の少なくとも一部に当接され保持される帯形状であり、放射体は材質のもつ弾性よって側頭部に弾圧保持されるものである頭部装身具として構成される。
【００１５】
この解決方法によると、請求の範囲１と同様の作用，効果を奏することに加えて、
材質のもつ弾性よって側頭部によって放射体が側頭部に確実に保持されるようになる。
【００１６】
技術的課題の他の解決方法は、請求の範囲５に記載のように、請求の範囲４の頭部装身具において、遠赤外線を放射する物質はシリカまたはグラファイトシリカで粒径が０．００１〜０．０２０μmに微粉砕されていることを特徴とする頭部装身具として構成される。
【００１７】
この解決方法によると、遠赤外線を放射する物質が具体的に特定され微粉砕の程度が粒径から特定される。
【００１８】
技術的課題の他の解決方法は、請求の範囲６に記載のように、請求の範囲５の頭部装身具において、放射体は熱可塑性合成樹脂に遠赤外線を放射する物質が重量比３〜１０％混合されていることを特徴とする頭部装身具として構成される。
【００１９】
この解決方法によると、放射体の材質と放射体に含まれる遠赤外線を放射する物質の混合比が特定される。
【００２０】
技術的課題の他の解決方法は、請求の範囲７に記載のように、微粉砕された遠赤外線を放射する物質が均質に含まれた材料で形成された放射体が側頭部の少なくとも一部に当接され保持される帯形状であり、放射体は材質のもつ弾性よって側頭部に弾圧保持されるもので側頭部から取外して折畳むことができる頭部装身具として構成される。
【００２１】
この解決方法によると、請求の範囲１と同様の作用，効果を奏することに加えて、
材質のもつ弾性よって側頭部によって放射体が側頭部に確実に保持されるようになる。
【００２２】
技術的課題の他の解決方法は、請求の範囲８に記載のように、請求の範囲７の頭部装身具において、遠赤外線を放射する物質はシリカまたはグラファイトシリカで粒径が０．００１〜０．０２０μmに微粉砕されていることを特徴とする頭部装身具として構成される。
【００２３】
この解決方法によると、遠赤外線を放射する物質が具体的に特定され微粉砕の程度が粒径から特定される。
【００２４】
技術的課題の他の解決方法は、請求の範囲９に記載のように、請求の範囲８の頭部装身具において、放射体は熱可塑性合成樹脂に遠赤外線を放射する物質が重量比３〜１０％混合されていることを特徴とする頭部装身具として構成される。
【００２５】
この解決方法によると、放射体の材質と放射体に含まれる遠赤外線を放射する物質の混合比が特定される。
【００２６】
技術的課題の他の解決方法は、請求の範囲１０に記載のように、微粉砕された遠赤外線を放射する物質が均質に含まれた材料で形成された放射体が側頭部の少なくとも一部に当接され保持される帯形状であり、放射体は頭頂部に当接される帯形状の支持部材が連結されている頭部装身具として構成される。
【００２７】
この解決方法によると、請求の範囲１と同様の作用，効果を奏することに加えて、支持部材によって放射体が側頭部に確実に保持されるようになる。
【００２８】
技術的課題の他の解決方法は、請求の範囲１１に記載のように、請求の範囲１０の頭部装身具において、遠赤外線を放射する物質はシリカまたはグラファイトシリカで粒径が０．００１〜０．０２０μmに微粉砕されていることを特徴とする頭部装身具として構成される。
【００２９】
この解決方法によると、遠赤外線を放射する物質が具体的に特定され微粉砕の程度が粒径から特定される。
【００３０】
技術的課題の他の解決方法は、請求の範囲１２に記載のように、請求の範囲１１の頭部装身具において、放射体は熱可塑性合成樹脂に遠赤外線を放射する物質が重量比３〜１０％混合されていることを特徴とする頭部装身具として構成される。
【００３１】
この解決方法によると、放射体の材質と放射体に含まれる遠赤外線を放射する物質の混合比が特定される。
【００３２】
技術的課題の他の解決方法としては、請求の範囲１３に記載のように、微粉砕された遠赤外線を放射する物質が均質に含まれた材料で形成された放射体が側頭部の少なくとも一部に当接され保持される帯形状であり、放射体は頭頂部に当接される帯形状の支持部材が連結され、放射体と支持部材とは着脱可能である頭部装身具として構成される。
【００３３】
この解決方法によると、請求の範囲１と同様の作用，効果を奏することに加えて、不使用時にコンパクトに分解収納することができるようになる。
【００３４】
技術的課題の他の解決方法は、請求の範囲１４に記載のように、請求の範囲１３の頭部装身具において、遠赤外線を放射する物質はシリカまたはグラファイトシリカで粒径が０．００１〜０．０２０μmに微粉砕されていることを特徴とする頭部装身具として構成される。
【００３５】
この解決方法によると、遠赤外線を放射する物質が具体的に特定され微粉砕の程度が粒径から特定される。
【００３６】
技術的課題の他の解決方法は、請求の範囲１５に記載のように、請求の範囲１４の頭部装身具において、放射体は熱可塑性合成樹脂に遠赤外線を放射する物質が重量比３〜１０％混合されていることを特徴とする頭部装身具として構成される。
【００３７】
この解決方法によると、放射体の材質と放射体に含まれる遠赤外線を放射する物質の混合比が特定される。
【００３８】
技術的課題の他の解決方法としては、請求の範囲１６に記載のように、微粉砕された遠赤外線を放射する物質が均質に含まれた材料で形成された放射体が側頭部の少なくとも一部に当接され保持される帯形状であり、放射体は頭頂部に当接される帯形状の支持部材が連結され、放射体と支持部材とは連結角度が調整可能である頭部装身具として構成される。
【００３９】
この解決方法によると、請求の範囲１と同様の作用，効果を奏することに加えて、被装着者の頭部の大きさ，形状に対応して支持部材の頭頂部における位置を調整することができるようになる。
【００４０】
技術的課題の他の解決方法は、請求の範囲１７に記載のように、請求の範囲１６の頭部装身具において、遠赤外線を放射する物質はシリカまたはグラファイトシリカで粒径が０．００１〜０．０２０μmに微粉砕されていることを特徴とする頭部装身具として構成される。
【００４１】
この解決方法によると、遠赤外線を放射する物質が具体的に特定され微粉砕の程度が粒径から特定される。
【００４２】
技術的課題の他の解決方法は、請求の範囲１８に記載のように、請求の範囲１７の頭部装身具において、放射体は熱可塑性合成樹脂に遠赤外線を放射する物質が重量比３〜１０％混合されていることを特徴とする頭部装身具として構成される。
【００４３】
この解決方法によると、放射体の材質と放射体に含まれる遠赤外線を放射する物質の混合比が特定される。
【００４４】
技術的課題の他の解決方法としては、請求の範囲１９に記載のように、微粉砕された遠赤外線を放射する物質が均質に含まれた材料で形成された放射体が側頭部の少なくとも一部に当接され保持される帯形状であり、放射体は頭頂部に当接される帯形状の支持部材が連結され、放射体と支持部材とは連結位置が放射体の長さ方向へ調整可能である頭部装身具として構成される。
として構成される。
【００４５】
この解決方法によると請求の範囲１と同様の作用，効果を奏することに加えて、、被装着者の頭部の大きさ，形状に対応して支持部材の頭頂部における位置を調整することができるようになる。
【００４６】
技術的課題の他の解決方法は、請求の範囲２０に記載のように、請求の範囲１９の頭部装身具において、遠赤外線を放射する物質はシリカまたはグラファイトシリカで粒径が０．００１〜０．０２０μmに微粉砕されていることを特徴とする頭部装身具として構成される。
【００４７】
この解決方法によると、遠赤外線を放射する物質が具体的に特定され微粉砕の程度が粒径から特定される。
【００４８】
技術的課題の他の解決方法は、請求の範囲２１に記載のように、請求の範囲２０の頭部装身具において、放射体は熱可塑性合成樹脂に遠赤外線を放射する物質が重量比３〜１０％混合されていることを特徴とする頭部装身具として構成される。
【００４９】
この解決方法によると、放射体の材質と放射体に含まれる遠赤外線を放射する物質の混合比が特定される。
【図面の簡単な説明】
【００５０】
【図１】第１図は、本発明を実施するための最良の形態の第１例の使用状態を含む斜視図である。
【図２】第２図は、第１図の要部の拡大縦断面図である。
【図３】第３図は、第１図の主要部品の折畳状態の斜視図である。
【図４】第４図（Ａ），（Ｂ），（Ｃ）は、それぞれ第１図とは別の使用形態の側面図である。
【図５Ａ】第５Ａ図は、本発明を実施するための最良の形態の第１例の使用の前の血液の状態を示す顕微鏡写真である。
【図５Ｂ】第５Ｂ図は、本発明を実施するための最良の形態の第１例の使用の後の血液の状態を示す顕微鏡写真である。
【図６Ａ】第６Ａ図は、本発明を実施するための最良の形態の第１例の使用の前の血液の状態を示す他の顕微鏡写真である。
【図６Ｂ】第６Ｂ図は、本発明を実施するための最良の形態の第１例の使用の後の血液の状態を示す他の顕微鏡写真である。
【図７】第７図は、本発明を実施するための最良の形態の第２例の斜視図である。
【図８】第８図は、本発明を実施するための最良の形態の第３例の使用状態の側面図である。
【図９】第９図は、第８図の平面図である。
【図１０】第１０図は、第８図の要部の拡大縦断面図である。
【図１１】第１１図は、第８図の要部の拡大斜視図である。
【図１２】第１２図は、本発明を実施するための最良の形態の第４例の使用状態の側面図である。
【図１３】第１３図は、本発明を実施するための最良の形態の第５例の平面図である。
【図１４】第１４図は、本発明を実施するための最良の形態の第６例の側面図である。
【図１５】第１５図は、第１４図の要部の拡大斜視図である。
【発明を実施するための最良の形態】
【００５１】
第１図〜第６Ｂ図は、本発明を実施するための最良の形態の第１例を示すものである。【００５２】
この第１例は、第１図に示すように、展開，折畳みが可能な本体部１のみで構成されている。【００５３】
本体部１は、放射体１１，クッション材１２，被覆材１３からなる。【００５４】
放射体１１は、弾性を有する熱可塑性樹脂（アクリル樹脂，ポリプロピレン樹脂等）に遠赤外線を放射する物質（シリカ，グラファイトシリカ等）が混合され、カップ部１１１，帯部１１２，回動連結部１１３，スライド連結部１１４が形成されている。カップ部１１１は、リングの一部が欠落したリム１１１ａの中心方向に放射状にアーム１１１ｂが設けられ、アーム１１１ｂからＬ字形の連結片１１１ｃが延びている。帯部１１２は、Ｌ字形の２つの帯片からなる。回動連結部１１３は、カップ部１１３の連結片１１１ｃと帯部１１２の一端部とを回動可能に連結するピンからなる。スライド連結部１１４は、帯部１１２の他端部に取付けられた挿通枠からなるもので、帯部１１２の他方を互いに挿通させる。この放射体１１は、展開されて半円形を形成することができる（第１図参照）とともに、折畳まれて手提籠形を形成することができる（第３図参照）。遠赤外線を放射する物質は、粒径が０．００１〜０．０２０μmに微粉砕され、熱可塑性樹脂を原材料から可塑化する際に徐々に混合されて熱可塑性樹脂の中に均質に混合される。遠赤外線を放射する物質の混合比は、重量比で３〜１０％である。混合比が３％に満たない場合には、遠赤外線の充分な放射量を得ることができない。また、混合比が１０％を超える場合には、熱可塑性樹脂を脆くさせ放射体１１に必要な強度を得ることができない。従って、重量比で７〜８％が最も有効である。【００５５】
クッション材１２は、肌接触性，吸湿性，クッション性の良好な発泡性樹脂からなるもので、放射体１１の主にカップ部１１１、頭部Ｈ側に取付けられている。【００５６】
被覆材１３は、肌接触性，吸湿性の良好な布材からなるもので、放射体１１，クッション材１２を覆っている。【００５７】
この第１例によると、第１図に示すように、本体部１（放射体１１）を展開させた状態で放射体１１のカップ部１１１が側頭部に位置するようにして頭部Ｈに装着する。この結果、放射体１１の弾性によって、本体部１が頭部Ｈの側頭部に確実に当接され安定的に保持されることになる。【００５８】
第１例を使用すると、本体部１の放射体１１が頭部Ｈの側頭部に当接され保持されることになる。従って、頭部Ｈの全体への遠赤外線の分散が防止され、神経組織のある側頭部へ集中的に遠赤外線が放射されることになる。また、本体部１の放射体１１には、遠赤外線を放射する物質が微粉砕されて均質に含まれることで、遠赤外線を放射する物質の遠赤外線の放射面積が拡張されるとともに互いの遠赤外線の放射の干渉が防止されている。従って、遠赤外線を放射する物質の放射量が増量されることになる。また、放射体１１の回動連結部１１３，スライド連結部１１４を操作してカップ部１１１の角度や帯部１１２の実質的な長さを調整することで、使用者の頭部Ｈの大きさ，形状に対応して側頭部への装着性を高めることができる。【００５９】
第１例を使用しないときには、図３に示すように、街道連結部１１３の連結片１１１ｃを回動させることで本体部１（放射体１１）が折畳まれて コンパクトに収納することができる。【００６０】
なお、第１図には、放射体１１の帯部１１２が、後頭部側に位置される場合を示しているが、
本発明者等は、第１例について、本発明の有効性を確認するための以下の実験を実施した。【００６１】
遠赤外線を放射する物質としてグラファイトシリカを選択して、０．００１μmに微粉砕した。そして、アクリル樹脂に重量比７％を混合して、放射体１１の帯部１１２が幅２５ｍｍ，厚さ２mm，長さ２８cmの大きさになるように成形した。【００６２】
この第１例を使用する前の被験者（４２歳・女性）の血液の状態が第５Ａ図であったが、使用１０分後の被験者の血液の状態が第５Ｂ図に変化した。別な被験者（３４歳・女性）の使用前の血液の状態が第６Ａ図であったが、使用１０分後の被験者の血液の状態が第６Ｂ図に変化した。
この事件結果としては、明確な血流の活性化が確認された。また、被験者の自覚としては、頭痛，腰痛，肩こり，白内障のかすみ等の軽減があった。【００６３】
第７図は、本発明を実施するための最良の形態の第２例を示すものである。【００６４】
この第２例は、第１例の放射体１１のカップ部１１１，帯部１１２を連続した細帯形としている。【００６５】
第２例によると、基本的に第１例と同様の作用効果が奏されることに加えて、放射体１１の構造が簡素化され製造コストが安価になる利点がある。【００６６】
第８図〜第１１図は、本発明を実施するための最良の形態の第３例を示すものである。【００６７】
この第３例は、第８図に示すように、本体部１，支持部材２，連結部材３の各部で構成されている。【００６８】
本体部１は、第１例と同様の放射体１１，クッション材１２，被覆材１３からなる。ただし、第３例の放射体１１は、薄板の帯形状で頭部Ｈの側頭部の全周に当接されるように平面が楕円の環状になるように成形されている。従って、径方向，捻方向にある程度の可撓性，弾性を有している。【００６９】
支持部材２は、前述の本体部１の放射体１１，クッション材１２，被覆材１３と同様の構造の放射体２１，クッション材２２，被覆材２３からなるもので、本体部１に直交する位置で頭部Ｈの頭頂部に当接されるようにほぼ半環状になるように形成されている。【００７０】
連結部材３は、第１０図に詳細に示されるように、本体部１に設けられた連結受溝３１と支持部材２に設けられた連結ピン３２とからなる。【００７１】
連結受溝３１は、本体部１の放射体１１，クッション材１２，被覆材１３を貫通した相対的に径の小さな長孔３１ａと、長孔３１ａの一方の端部に連通している相対的に径の大きな通孔３１ｂとを備え、本体部１の長さ方向（周方向）へ延びてほぼ９０度の角度を介して両側頭部付近に配置されている。【００７２】
連結ピン３２は、支持部材２の両端部に内側へ突出して設けられた相対的に径の小さな軸部３２ａと、軸部３２ａの先端に形成された相対的に径の大きな抜止頭３２ｂとを備えている。【００７３】
連結受溝３１の長孔３１ａの径と連結ピン３２の軸部３２ａの径とは、一致している。また、連結受溝３１の通孔３１ｂの径と連結ピン３２の抜止頭３２ｂの径とは、一致している。【００７４】
この第３例によると、連結部材３の連結ピン３２を連結受溝３１の通孔３１ｂに抜差しすることで、本体部１，支持部材２を簡単に着脱（分解，組立）することができる。従って、不使用時には、コンパクトに分解収納することができる。【００７５】
本体部１，支持部材２を組立てた後には、連結部材３の連結ピン３２の軸部３２ａを連結受溝３１の長孔３１ａ側へスライドさせることで、連結ピン３２の抜止頭３２ｂで本体部１，支持部材２の不測の離脱を阻止することができる。また、連結部材３の連結ピン３２の軸部３２ａを連結受溝３１の長孔３１ａ側へスライド量を調整し、さらには連結部材３の連結ピン３２の軸部３２ａを回転軸として支持部材２を傾倒調整することで、使用者の頭部Ｈの大きさ，形状等に対応して支持部材２を頭頂部に安定的に当接させることができる。この結果、本体部１，支持部材２を頭部Ｈに被るように装着することで、本体部１が頭部Ｈの側頭部に確実に当接され安定的に保持されることになる。【００７６】
第３例を使用すると、基本的に第１例と同様の作用効果が奏される。【００７７】
第１２図は、本発明を実施するための最良の形態の第４例を示すものである。【００７８】
この第４例では、第３例の支持部材２，連結部材３を２組設けている。【００７９】
この第４例によると、基本的に第１例と同様の作用効果が奏されることに加えて、支持部材２をそれぞれ別個に傾倒させることで、頭部Ｈの大きさ，形状等に対応して支持部材２を頭頂部により安定的に当接させることができる利点がある。【００８０】
第１３図は、本発明を実施するための最良の形態の第５例を示すものである。【００８１】
この第５例では、第３例の本体部１の環状の一部を切除している。【００８２】
この第５例によると基本的に第１例と同様の作用効果が奏されることに加えて、頭部Ｈの大きさやヘアースタイルにかかわらず、容易に装着することが可能になる利点がある。【００８３】
第１４図，第１５図は、本発明を実施するための最良の形態の第６例を示すものである。【００８４】
この第６例では、連結部材３を本体部１に設けられたレール３３と支持部材２に設けられたスライダ３４，回動体３５とで構成している。【００８５】
レール３３は、短尺板形のレール本体３３ａの本体部１側の面の両長手辺沿いにレール溝３３ｂが刻設され、レール本体３３ａの端部にレール溝３３に連通した切欠部３３ｃが設けられている。【００８６】
スライダ３３は、回転体３３に支持されレール３３のレール溝３３ｂに係合する突起が設けられている。スライダ３３の幅は、レール３３の切欠部３３ｃの幅と一致している。【００８７】
回動体３５は、支持部材２に取付けられ、バネ材，ストッパ等を内蔵して支持部材２を任意の角度に段階的に保持することができるようになっている。【００８８】
この第６例によると、連結部材３のレール３３を本体部１の外側に取付けることができるため、本体部１の放射体１１を孔開け加工等する必要がなくなる。【００８９】
なお、連結部材３のレール３３の切欠部３３ｃは、本体部１，支持部材２の着脱に用いられる。【００９０】
以上の各例の外に、本体部１のクッション材１２，被覆材１３や支持部材２のクッション材２２，被覆材２３に遠赤外線を放射する物質を必要な定着材等ともに浸漬，塗布，印刷等により含ませることも可能である。【００９１】
さらに、本体部１を２本以上並列させることも可能である。【００９２】
さらに、支持部材２を遠赤外線を放射する物質が含まれない材質で形成することも可能である。
【産業上の利用可能性】
【００９３】
本発明は、頭部装身具として提供されているが、身体の他の各部への使用も可能である。
【図１】
2007108078.tif 000003
【図２】
2007108078.tif 000004
【図３】
2007108078.tif 000005
【図４】
2007108078.tif 000006
【図７】
2007108078.tif 000007
【図８】
2007108078.tif 000008
【図９】
2007108078.tif 000009
【図１０】
2007108078.tif 000010
【図１１】
2007108078.tif 000011
【図１２】
2007108078.tif 000012
【図１３】
2007108078.tif 000013
【図１４】
2007108078.tif 000014
【図１５】
2007108078.tif 000015
【図５Ａ】
2007108078.tif 000016
【図５Ｂ】
2007108078.tif 000017
【図６Ａ】
2007108078.tif 000018
【図６Ｂ】
2007108078.tif 000019
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
シリカまたはグラファイトシリカで粒径が０．００１〜０．０２０μｍに微粉砕された遠赤外線を放射する物質を、熱可塑性合成樹脂に対して重量比で３〜１０％均質に含まれた材料で成形された放射体を有し、
該放射体は側頭部の少なくとも一部に当接され保持される一対のカップ部と細帯形の帯部から展開されて半円形になり、材質の持つ弾性によって側頭部に弾圧保持されるものである頭部装身具。
【請求項２】
前記放射体は側頭部から取外して折りたたむことができる請求項１記載の頭部装身具。
【請求項３】
シリカまたはグラファイトシリカで粒径が０．００１〜０．０２０μｍに微粉砕された遠赤外線を放射する物質を、熱可塑性合成樹脂に対して重量比で３〜１０％均質に含まれた材料で成形された放射体を有し、
前記放射体は側頭部の少なくとも一部に当接され保持される薄板で平面が楕円の環状またはその一部切除された帯形状であり、放射体は直交する位置で頭頂部に当接される帯形状の支持部材が連結され、
材質の持つ弾性によって側頭部と当接する頭頂部に弾圧保持されるものである頭部装身具。
【請求項４】
前記放射体と前記支持部材とは着脱可能である請求項３記載の頭部装身具。
【請求項５】
前記放射体と前記支持部材とは連結角度が調整可能である請求項３又は４記載の頭部装身具。
【請求項６】
前記放射体と前記支持部材とは連結位置が放射体の長さ方向へ調整可能である請求項３から５のいずれか記載の頭部装身具。
【手続補正２】
【補正対象書類名】明細書
【補正対象項目名】０００１
【補正方法】変更
【補正の内容】
【０００１】
本発明は、頭部に装着して遠赤外線の放射により頭部の血流を活性化する頭部装身具に関する。
【手続補正３】
【補正対象書類名】明細書
【補正対象項目名】０００８
【補正方法】変更
【補正の内容】
【０００８】
技術的課題の解決方法は、請求の範囲１に記載のように、シリカまたはグラファイトシリカで粒径が０．００１〜０．０２０μｍに微粉砕された遠赤外線を放射する物質を、熱可塑性合成樹脂に対して重量比で３〜１０％均質に含まれた材料で成形された放射体を有し、該放射体は側頭部の少なくとも一部に当接され保持される一対のカップ部と細帯形の帯部から展開されて半円形になり、材質の持つ弾性によって側頭部に弾圧保持されるものである頭部装身具として構成される。
【手続補正４】
【補正対象書類名】明細書
【補正対象項目名】００１０
【補正方法】変更
【補正の内容】
【００１０】
技術的課題の他の解決方法は、遠赤外線を放射する物質はシリカまたはグラファイトシリカで粒径が０．００１〜０．０２０μｍに微粉砕されていることを特徴とする頭部装身具として構成される。
【手続補正５】
【補正対象書類名】明細書
【補正対象項目名】００１２
【補正方法】変更
【補正の内容】
【００１２】
技術的課題の他の解決方法は、放射体は熱可塑性合成樹脂に遠赤外線を放射する物質が重量比３〜１０％混合されていることを特徴とする頭部装身具として構成される。
【手続補正６】
【補正対象書類名】明細書
【補正対象項目名】００１４
【補正方法】変更
【補正の内容】
【００１４】
技術的課題の他の解決方法は、微粉砕された遠赤外線を放射する物質が均質に含まれた材料で形成された放射体が側頭部の少なくとも一部に当接され保持される帯形状であり、放射体は材質のもつ弾性によって側頭部に弾圧保持されるものである頭部装身具として構成される。
【手続補正７】
【補正対象書類名】明細書
【補正対象項目名】００１５
【補正方法】変更
【補正の内容】
【００１５】
この解決方法によると、材質のもつ弾性によって放射体が側頭部に確実に保持されるようになる。
【手続補正８】
【補正対象書類名】明細書
【補正対象項目名】００１６
【補正方法】変更
【補正の内容】
【００１６】
技術的課題の他の解決方法は、遠赤外線を放射する物質はシリカまたはグラファイトシリカで粒径が０．００１〜０．０２０μｍに微粉砕されていることを特徴とする頭部装身具として構成される。
【手続補正９】
【補正対象書類名】明細書
【補正対象項目名】００１８
【補正方法】変更
【補正の内容】
【００１８】
技術的課題の他の解決方法は、放射体は熱可塑性合成樹脂に遠赤外線を放射する物質が重量比３〜１０％混合されていることを特徴とする頭部装身具として構成される。
【手続補正１０】
【補正対象書類名】明細書
【補正対象項目名】００２０
【補正方法】変更
【補正の内容】
【００２０】
技術的課題の他の解決方法は、請求の範囲２に記載のように、請求の範囲１の頭部装身具において、前記放射体は側頭部から取り外して折りたたむことができる頭部装身具として構成される。
【手続補正１１】
【補正対象書類名】明細書
【補正対象項目名】００２２
【補正方法】変更
【補正の内容】
【００２２】
技術的課題の他の解決方法は、遠赤外線を放射する物質はシリカまたはグラファイトシリカで粒径が０．００１〜０．０２０μｍに微粉砕されていることを特徴とする頭部装身具として構成される。
【手続補正１２】
【補正対象書類名】明細書
【補正対象項目名】００２４
【補正方法】変更
【補正の内容】
【００２４】
技術的課題の他の解決方法は、放射体は熱可塑性合成樹脂に遠赤外線を放射する物質が重量比３〜１０％混合されていることを特徴とする頭部装身具として構成される。
【手続補正１３】
【補正対象書類名】明細書
【補正対象項目名】００２６
【補正方法】変更
【補正の内容】
【００２６】
技術的課題の他の解決方法は、請求の範囲３に記載のように、シリカまたはグラファイトシリカで粒径が０．００１〜０．０２０μｍに微粉砕された遠赤外線を放射する物質を、熱可塑性合成樹脂に対して重量比で３〜１０％均質に含まれた材料で成形された放射体を有し、前記放射体は側頭部の少なくとも一部に当接され保持される薄板で平面が楕円の環状またはその一部切除された帯形状であり、放射体は直交する位置で頭頂部に当接される帯形状の支持部材が連結され、材質の持つ弾性によって側頭部と当接する頭頂部に弾圧保持されるものである頭部装身具として構成される。
【手続補正１４】
【補正対象書類名】明細書
【補正対象項目名】００２８
【補正方法】変更
【補正の内容】
【００２８】
技術的課題の他の解決方法は、遠赤外線を放射する物質はシリカまたはグラファイトシリカで粒径が０．００１〜０．０２０μｍに微粉砕されていることを特徴とする頭部装身具として構成される。
【手続補正１５】
【補正対象書類名】明細書
【補正対象項目名】００３０
【補正方法】変更
【補正の内容】
【００３０】
技術的課題の他の解決方法は、放射体は熱可塑性合成樹脂に遠赤外線を放射する物質が重量比３〜１０％混合されていることを特徴とする頭部装身具として構成される。
【手続補正１６】
【補正対象書類名】明細書
【補正対象項目名】００３２
【補正方法】変更
【補正の内容】
【００３２】
技術的課題の他の解決方法は、請求の範囲４に記載のように、請求の範囲３の頭部装身具において、前記放射体と前記支持部材とは着脱可能である頭部装身具として構成される。
【手続補正１７】
【補正対象書類名】明細書
【補正対象項目名】００３４
【補正方法】変更
【補正の内容】
【００３４】
技術的課題の他の解決方法は、遠赤外線を放射する物質はシリカまたはグラファイトシリカで粒径が０．００１〜０．０２０μｍに微粉砕されていることを特徴とする頭部装身具として構成される。
【手続補正１８】
【補正対象書類名】明細書
【補正対象項目名】００３６
【補正方法】変更
【補正の内容】
【００３６】
技術的課題の他の解決方法は、放射体は熱可塑性合成樹脂に遠赤外線を放射する物質が重量比３〜１０％混合されていることを特徴とする頭部装身具として構成される。
【手続補正１９】
【補正対象書類名】明細書
【補正対象項目名】００３８
【補正方法】変更
【補正の内容】
【００３８】
技術的課題の他の解決方法は、請求の範囲５に記載のように、請求の範囲３又は４記載の頭部装身具において、前記放射体と前記支持部材とは連結角度が調整可能である頭部装身具として構成される。
【手続補正２０】
【補正対象書類名】明細書
【補正対象項目名】００４０
【補正方法】変更
【補正の内容】
【００４０】
技術的課題の他の解決方法は、遠赤外線を放射する物質はシリカまたはグラファイトシリカで粒径が０．００１〜０．０２０μｍに微粉砕されていることを特徴とする頭部装身具として構成される。
【手続補正２１】
【補正対象書類名】明細書
【補正対象項目名】００４２
【補正方法】変更
【補正の内容】
【００４２】
技術的課題の他の解決方法は、放射体は熱可塑性合成樹脂に遠赤外線を放射する物質が重量比３〜１０％混合されていることを特徴とする頭部装身具として構成される。
【手続補正２２】
【補正対象書類名】明細書
【補正対象項目名】００４４
【補正方法】変更
【補正の内容】
【００４４】
技術的課題の他の解決方法は、請求の範囲６に記載のように、請求の範囲３から５のいずれか記載の頭部装身具において、前記放射体と前記支持部材とは連結位置が放射体の長さ方向へ調整可能である頭部装身具として構成される。
【手続補正２３】
【補正対象書類名】明細書
【補正対象項目名】００４６
【補正方法】変更
【補正の内容】
【００４６】
技術的課題の他の解決方法は、遠赤外線を放射する物質はシリカまたはグラファイトシリカで粒径が０．００１〜０．０２０μｍに微粉砕されていることを特徴とする頭部装身具として構成される。
【手続補正２４】
【補正対象書類名】明細書
【補正対象項目名】００４８
【補正方法】変更
【補正の内容】
【００４８】
技術的課題の他の解決方法は、放射体は熱可塑性合成樹脂に遠赤外線を放射する物質が重量比３〜１０％混合されていることを特徴とする頭部装身具として構成される。
【手続補正２５】
【補正対象書類名】明細書
【補正対象項目名】００５７
【補正方法】変更
【補正の内容】
【００５７】
この第１例によると、第１図に示すように、本体部１（放射体１１）を展開させた状態で放射体１１の一対のカップ部１１１が側頭部に位置するようにして頭部Ｈに装着する。この結果、放射体１１の弾性によって、本体部１が頭部Ｈの側頭部に確実に当接され安定的に保持されることになる。
【手続補正２６】
【補正対象書類名】明細書
【補正対象項目名】００５９
【補正方法】変更
【補正の内容】
【００５９】
第１例を使用しないときには、図３に示すように、回動連結部１１３の連結片１１１ｃを回動させることで本体部１（放射体１１）が折畳まれてコンパクトに収納することができる。
【手続補正２７】
【補正対象書類名】明細書
【補正対象項目名】００６２
【補正方法】変更
【補正の内容】
【００６２】
この第１例を使用する前の被験者（４２歳・女性）の血液の状態が第５Ａ図であったが、使用１０分後の被験者の血液の状態が第５Ｂ図に変化した。別な被験者（３４歳・女性）の使用前の血液の状態が第６Ａ図であったが、使用１０分後の被験者の血液の状態が第６Ｂ図に変化した。
この実験結果としては、明確な血流の活性化が確認された。また、被験者の自覚としては、頭痛，腰痛，肩こり，白内障のかすみ等の軽減があった。
【国際調査報告】
2007108078.tif 000020
2007108078.tif 000021
2007108078.tif 000022
2007108078.tif 000023
2007108078.tif 000024
2007108078.tif 000025